(57)【要約】      （修正有）【課題】位牌を位牌設置面上に設置した状態で、位牌が移動したり転倒したりしないようにするとともに、必要に応じて位牌を位牌設置面から自由に取り外せるようにする位牌位置保持構造を提供する。【解決手段】台座１１を有した位牌本体１と、台座１１の下面に着脱自在に装着されるとともに位牌設置面４に対して固着手段により固定される底板２とを使用し、台座１１の下面に上向きに凹入する凹部１２を形成する一方、底板２の上面に台座下面の凹部１２にほぼ隙間なしで且つ嵌脱自在に嵌入される凸部２１を形成し、底板２を固着手段により位牌設置面４に固定した状態で、底板２の凸部２１に台座下面の凹部１２を凹凸嵌合させることによって、位牌本体１を位牌設置面４に固定した底板２上で位置保持させ得るように構成している。【選択図】図２
0003172017.tif 000002
【実用新案登録請求の範囲】
【請求項１】
下部に台座（１１）を有した位牌本体（１）と、上記台座（１１）の下面に着脱自在に装着されるとともに位牌設置面（４）に対して固着手段（３）により固定される底板（２）とを使用し、
上記台座（１１）の下面に所定深さだけ上向きに凹入する凹部（１２）を形成する一方、上記底板（２）の上面に上記台座下面の凹部（１２）にほぼ隙間なしで且つ嵌脱自在に嵌入される凸部（２１）を形成し、
上記底板（２）を固着手段（３）により位牌設置面（４）に固定した状態で、該底板（２）の凸部（２１）に台座下面の凹部（１２）を凹凸嵌合させることによって、上記位牌本体（１）を位牌設置面（４）に固定した底板（２）上で位置保持させ得るように構成している、
ことを特徴とする位牌位置保持構造。
【考案の詳細な説明】
【技術分野】
【０００１】
本願考案は、位牌を位牌設置面（例えば仏壇内の仏具載置棚）上に安定姿勢で位置保持させるための位牌位置保持構造に関するものである。
【背景技術】
【０００２】
位牌は、札板部と台座とを一体に結合させたものである。尚、札板部の前面には戒名を表記する一方、札板部の裏面には俗名を表記する。そして、この種の位牌は、主として仏壇内の仏具載置棚上に立設状態で安置される。
【０００３】
この種の位牌は、一般的には仏壇内の仏具載置棚上に単に載置しているだけであり、且つ台座の底面積の割に高さが高い形状であるので、地震等の振動で転倒したり、不用意に物品や手が触れると比較的簡単に転倒することがある。このように、位牌が転倒することは、位牌を祀る側の者（家族）にとっては非常に嫌なものである。
【０００４】
ところで、位牌が転倒しないようにするのに、位牌の台座下面を例えば両面接着テープで仏壇内の仏具載置棚上に直に接着させることが考えられるが、その場合は次のような問題があった。
【０００５】
まず、位牌に付着した埃や汚れを清掃するときに、位牌の台座下面が両面接着テープで固定されていると不便である（清掃しにくい）。
【０００６】
又、この種の位牌として例えば夫婦用のものでは、二人目の戒名を表記してもらうのに仏具店に持ち運ぶ必要があるが、この場合も位牌が両面接着テープで固定されていると取外しが面倒である。
【０００７】
さらに、位牌の台座下面を剥がしたときに、該台座下面及び仏壇内の仏具載置棚上に接着テープ痕が残り、見苦しいものとなる。
【考案の概要】
【考案が解決しようとする課題】
【０００８】
そこで、本願考案は、位牌を位牌設置面（例えば仏壇内の仏具載置棚）上に設置した状態で、位牌が移動したり転倒したりしないようにできるとともに、必要に応じて位牌本体（札板部及び台座）を位牌設置面（例えば仏壇内の仏具載置棚）から自由に取り外せるようにした位牌位置保持構造を提供することを目的としている。
【課題を解決するための手段】
【０００９】
本願考案は、上記課題を解決するための手段として次の構成を有している。
【００１０】
まず、本願考案の位牌位置保持構造では、下部に台座を有した位牌本体と、台座の下面に着脱自在に装着されるとともに位牌設置面に対して固着手段により固定される底板とを使用している。尚、上記位牌設置面とは、例えば仏壇内の仏具載置棚が適用される。
【００１１】
底板を位牌設置面上に固定するための固着手段としては、例えば両面接着テープや一対の面ファスナー等により接着させ得るものを使用できる一方、磁石による吸着方式も採用可能である。
【００１２】
又、台座の下面には、所定深さだけ上向きに凹入する凹部を形成する一方、底板の上面に台座下面の凹部にほぼ隙間なしで且つ嵌脱自在に嵌入される凸部を形成している。
【００１３】
そして、本願考案の位牌位置保持構造では、上記底板を固着手段により位牌設置面に固定した状態で、該底板の凸部に台座下面の凹部を凹凸嵌合させることによって、位牌本体を位牌設置面に固定した底板上で位置保持させ得るように構成したものである。尚、この場合の上記凹凸嵌合とは、ほぞ嵌合のことで、上記凸部が上記凹部に対してガタつきのない状態出結合されたものである。
【００１４】
本願の位牌位置保持構造による位牌設置状態では、底板が固着手段で位牌設置面に固定されている一方、位牌本体の台座が底板に対して凹部と凸部の凹凸嵌合（ほぞ嵌合）により連結されているので、例えば地震等の振動発生時や物品（あるいは手）が強く触れたときでも、位牌本体が底板に対して水平移動したり転倒したりすることがない。
【００１５】
又、底板と位牌本体の台座とは、凹部と凸部との凹凸嵌合（ほぞ嵌合）で連結されたものであるので、必要に応じて位牌本体（札板部と台座）を底板から簡単に分離できる。
【考案の効果】
【００１６】
上記のように、本願考案の位牌位置保持構造では、位牌設置面に固定した底板に対して位牌本体（台座）を凹凸嵌合により連結し得るように構成されているので、この位牌位置保持構造を採用して位牌を設置すると、位牌本体が底板に対して不用意に移動したり転倒することがない、という効果がある。
【００１７】
又、このように、位牌本体を定姿勢で位置保持させ得るものであっても、上記凹凸嵌合を外す（ほぞを抜く）ことで位牌本体を位牌設置面（底板）から簡単に外すことができるので、該位牌本体の清掃や持ち運び等が難無く行えるという効果もある。
【図面の簡単な説明】
【００１８】
【図１】本願第１実施例の位牌位置保持構造を採用した各パーツの分解正面図である。
【図２】図１の位牌位置保持構造を組付けた状態でのII−II断面図である。
【図３】図１の位牌位置保持構造における台座と底板部分の分離状態の斜視図である。
【図４】本願第２実施例の位牌位置保持構造を採用した図１相当図である。
【考案を実施するための形態】
【００１９】
［実施例］
以下、添付の図面を参照して本願実施例の位牌位置保持構造を説明すると、図１〜図３には本願第１実施例を示し、図４には本願第２実施例を示している。
【００２０】
図１〜図３に示す第１実施例の位牌位置保持構造は、札板部１０と台座１１とを一体に結合してなる位牌本体１と、台座１１の底面積とほぼ同面積の底板２と、底板２を位牌設置面４に固定するための固着手段３とを基本構成としたものである。
【００２１】
尚、位牌設置面４とは、主として仏壇内の仏具載置棚のことであるが、仏壇以外の場所であってもよい。
【００２２】
位牌本体１（札板部１０と台座１１）は、高級感をもたせるために漆塗りしたものが多用されている。札板部１０には、その前面に故人の戒名や死亡年月日等が表記される一方、裏面に俗名や死亡年齢等が表記される。
【００２３】
この第１実施例の位牌本体１では、台座１１の下面は、左右全長に亘って連続する長方形に形成されている。
【００２４】
底板２は、台座１１の下面の大きさと同大きさの長方形平板で、例えば２〜３mm程度の厚さ（特に限定するものではない）のものである。
【００２５】
底板２は、固着手段３によって位牌設置面（例えば仏具載置棚）４上に固定されるが、この固着手段３としては、この実施例では両面接着テープを採用している。即ち、この両面接着テープ３（図１参照）は、表裏の剥離紙３１，３１を剥がせば接着剤層３２を露出させることができ、図２に示すように該接着剤層３２で底板２の下面を位牌設置面４上に接着（固定）させることができるようになっている。
【００２６】
尚、他の実施例では、上記固着手段３として、両面接着テープに代えて一対の面ファスナーを使用できる一方、磁石による吸着方式も採用可能である。
【００２７】
位牌本体１の台座１１と底板２とは、台座１１下面に形成した上向きに凹入する凹部１２と底板２上面に形成した凸部２１とを凹凸嵌合（所謂ほぞ嵌合）させることにより連結し得るようになっている。
【００２８】
即ち、図１〜図３に示す第１実施例では、台座１１下面における左右中央寄りでやや後面寄り位置に所定深さだけ上向きに凹入する凹部１２を形成している一方、底板２上面に台座１１下面の凹部１２にほぼ隙間なしで且つ嵌脱自在に嵌入される凸部２１を形成している。尚、底板２側の凸部２１は、図２では底板２と一体物として表示しているが、該凸部２１は底板２の上面に対して別部材のものを接着剤等で固定したものである。
【００２９】
台座１１下面の凹部１２と底板２上面の凸部２１とは相互に同形で、該凹部１２の大きさは、例えば（特に限定するものではないが）左右長さが４０mm程度、奥行き幅が１０mm程度、深さが８mm程度であり、この凹部１２の空間大きさに準じて凸部２１を過不足のない大きさに形成している。
【００３０】
又、この第１実施例の位牌位置保持構造では、上記凹部１２の天井面の左右２箇所に磁石１３，１３を埋め込んでいる一方、上記凸部２１の上面にも凹部１２側の各磁石１３，１３に対応する位置にそれぞれ磁石２２，２２を埋め込んでいる。
【００３１】
そして、図２に示すように、台座１１下面の凹部１２と底板２上面の凸部２１とを凹凸嵌合させた状態では、台座１１下面と底板２上面とが接触し、且つ凹部１２の全内面に対して凸部２１の全外面がほぼ隙間なしに接触するようになっている。又、この凹部１２と凸部２１の凹凸嵌合状態では、凹部１２側の各磁石１３，１３と凸部２１側に各磁石２２，２２とがそれぞれ接触する。
【００３２】
従って、図２に示す位牌設置状態では、底板２が固着手段３（接着剤層３２）で位牌設置面４に固定されている一方、位牌本体１の台座１１が底板２に対して凹部１２と凸部２１の凹凸嵌合により連結されているので、例えば地震等の振動発生時や物品（あるいは手）が強く触れたときでも、位牌本体１が底板２に対して水平移動したり転倒したりすることがない。又、図２に示す位牌設置状態では、凹部１２側の各磁石１３，１３と凸部２１側に各磁石２２，２２とがそれぞれ接触しているので、それらの磁気吸着により一層安定姿勢で位置保持できる。
【００３３】
さらに、図２に示す位牌設置状態では、底板２と位牌本体１の台座１１とは、凹部１２と凸部２１との凹凸嵌合（着脱可能）で連結されたものであるので、必要に応じて位牌本体１（札板部１０と台座１１）を底板２から簡単に分離できる。尚、このように、位牌本体１を位牌設置面４（底板２）から簡単に外すことができるようにしていると、該位牌本体１の清掃や持ち運び等が難無く行えるので便利である。
【００３４】
図４に示す第２実施例の位牌位置保持構造は、台座１１の底部の形状を変更したものである。即ち、この第２実施例では、台座１１の底部中央に空洞を設けて、左右２つの脚部１１ａ，１１ａで接地させるようにしている。
【００３５】
そして、この第２実施例の位牌位置保持構造では、台座１１の左右各脚部１１ａ，１１ａのそれぞれ下面に上向きの凹部１２，１２を形成している一方、底板２の上面における各凹部１２，１２に対面する位置にそれぞれ凸部２１，２１を形成して、該各凹部１２，１２に該各凸部２１，２１をそれぞれ嵌入させることで台座１１を底板２上に連結し得るようになっている。尚、図４の第２実施例では、上記各凹部１２，１２は、例えば直径が１０mm程度の円形で、深さが例えば８mm程度の大きさものを採用でき、上記各凸部２１，２１として該各凹部１２，１２の大きさに対応したものを採用できる。
【００３６】
又、図４の第２実施例でも、各凹部１２，１２の天井面にそれぞれ磁石１３，１３を埋め込んでいる一方、各凸部２１，２１の上面にも各凹部１２，１２側の各磁石１３，１３に対応する位置にそれぞれ各磁石２２，２２を埋め込んでいる。
【００３７】
そして、図４の第２実施例の位牌位置保持構造でも、上記第１実施例のものと同様に、各凹部１２，１２と各凸部２１，２１との凹凸嵌合により、位牌本体１を底板２に対して安定姿勢で位置保持させ得るものである。
【符号の説明】
【００３８】
１は位牌本体、２は底板、３は固着手段（両面接着テープ）、４は位牌設置面、１０は札板部、１１は台座、１２は凹部、１３は磁石、２１は凸部、２２は磁石である。
【図１】
0003172017.tif 000003
【図２】
0003172017.tif 000004
【図３】
0003172017.tif 000005
【図４】
0003172017.tif 000006